(57)【特許請求の範囲】
【請求項１】
シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記長手方向の途中に設けられ、前記基端側に向って前記シート材の破断を開始する破断開始部を有し、
前記包装体は、その縁部に設けられ、前記２枚のシート材が接合されていない非接合部を有し、
前記破断開始部の少なくとも一部は、前記非接合部であって、前記２枚のシート材のうちの一方のシート材に設けられていることを特徴とする医療用具包装体。
【請求項２】
シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記長手方向の途中に設けられ、前記基端側に向って前記シート材の破断を開始する破断開始部を有し、
前記一方のシート材に貼着された板状体を有し、
前記破断開始部は、前記板状体の縁部に設けられており、
前記破断開始部を引張ることにより、前記板状体ごと前記一方のシート材が破断することを特徴とする医療用具包装体。
【請求項３】
前記板状体は、前記包装体の長手方向に対して傾斜した傾斜部を有し、
前記破断開始部は、前記傾斜部の一方の端部に設けられており、
前記一方の端部は、前記傾斜部の他方の端部よりも前記先端側に位置している請求項２に記載の医療用具包装体。
【請求項４】
シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記２枚のシート材のうちの一方のシート材の前記長手方向の途中に設けられ、前記基端側に向って前記シート材の破断を開始する破断開始部を有し、
前記包装体は、前記一方のシート材の外側の面に設けられ、前記シート材が破断する際、その破断方向を規制する規制部を有することを特徴とする医療用具包装体。
【請求項５】
前記破断開始部は、前記一方のシート材の縁部に設けられた少なくとも１つの切れ込み部を有している請求項１ないし４のいずれか１項に記載の医療用具包装体。
【請求項６】
前記切れ込み部は、前記基端側に向って、前記包装体の長手方向に対して傾斜している請求項５に記載の医療用具包装体。
【請求項７】
前記一方のシート材は、軟質樹脂製の可撓性を有するフィルムで構成され、他方のシート材は、ガス透過性を有するシート材で構成されている請求項１ないし６のいずれか１項に記載の医療用具包装体。
【発明の詳細な説明】
【技術分野】
【０００１】
本発明は、医療用具包装体に関する。
【背景技術】
【０００２】
特許文献１に示すように、カテーテルのような可撓性を有する長尺な医療用具は、滅菌され、密封した袋状の包装体に収納されている。
【０００３】
この特許文献１に記載されている包装体は、２枚のシート材の縁部が融着されてなるものである。この包装体では、端部近傍にシート材を破断することにより開封する開封部が設けられている。この開封部からシート材を破断して内側の収納物を取り出すことができる。
【０００４】
しかしながら、内側の収納物がカテーテルのような長尺物であった場合、次のような現象が生じる。例えば、開封してから左手で包装体を把持し、右手でカテーテルの基端を把持して包装体からカテーテルを引き抜く場合、両手を最大限に広げても、カテーテルの先端が包装体の開封口から露出しないことがある。この場合には、例えば、包装体を把持する位置を換えて持ち直したり、再度引張ったり、他の人に手伝ってもらったりする必要がある。
【０００５】
このように、特許文献１の包装体は、人の手で引き出せる程度の長さ、または、それ以上の長さの医療用具の取り出しが容易であるとは言い難い。
【先行技術文献】
【特許文献】
【０００６】
【特許文献１】実開昭５９−８９８７８
【発明の概要】
【発明が解決しようとする課題】
【０００７】
本発明の目的は、医療用具を包装体から取り出す際、その取り出し作業を容易かつ迅速に行うことができる医療用具包装体を提供することにある。
【課題を解決するための手段】
【０００８】
このような目的は、下記（１）〜（７）の本発明により達成される。
（１）  シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記長手方向の途中に設けられ、前記基端側に向って前記シート材の破断を開始する破断開始部を有し、
前記包装体は、その縁部に設けられ、前記２枚のシート材が接合されていない非接合部を有し、
前記破断開始部の少なくとも一部は、前記非接合部であって、前記２枚のシート材のうちの一方のシート材に設けられていることを特徴とする医療用具包装体。
（２）  シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記長手方向の途中に設けられ、前記基端側に向って前記シート材の破断を開始する破断開始部を有し、
前記一方のシート材に貼着された板状体を有し、
前記破断開始部は、前記板状体の縁部に設けられており、
前記破断開始部を引張ることにより、前記板状体ごと前記一方のシート材が破断することを特徴とする医療用具包装体。
（３）  前記板状体は、前記包装体の長手方向に対して傾斜した傾斜部を有し、
前記破断開始部は、前記傾斜部の一方の端部に設けられており、
前記一方の端部は、前記傾斜部の他方の端部よりも前記先端側に位置している上記（２）に記載の医療用具包装体。
（４）  シート材で構成された袋状をなし、長尺な包装体と、
長尺状をなし、前記包装体に収納される医療用具と、を備え、
前記包装体は、前記包装体の長手方向の一端に先端を有し、前記長手方向の他端に基端を有し、２枚の前記シート材が重ねられた状態で縁部が接合されてなるものであり、
前記包装体は、前記２枚のシート材のうちの一方のシート材の前記長手方向の途中に設けられ、前記基端側に向って前記シート材の破断を開始する破断開始部を有し、
前記包装体は、前記一方のシート材の外側の面に設けられ、前記シート材が破断する際、その破断方向を規制する規制部を有することを特徴とする医療用具包装体。
【００１０】
（５）  前記破断開始部は、前記一方のシート材の縁部に設けられた少なくとも１つの切れ込み部を有している上記（１）ないし（４）のいずれかに記載の医療用具包装体。
【００１１】
（６）  前記切れ込み部は、前記基端側に向って、前記包装体の長手方向に対して傾斜している上記（５）に記載の医療用具包装体。
【００１７】
（７）  前記一方のシート材は、軟質樹脂製の可撓性を有するフィルムで構成され、他方のシート材は、ガス透過性を有するシート材で構成されている上記（１）ないし（６）のいずれかに記載の医療用具包装体。
【発明の効果】
【００１８】
本発明によれば、使用者が包装体から医療用具を取り出す際、包装体の長手方向の途中から、医療用具の基端側に向ってシート材を破断することができ、医療用具の基端部を露出させることができる。そして、医療用具の基端部を把持して基端側に引張って包装体から取り出す際、医療用具を引張る長さを従来よりも短くすることができる。これにより、例えば左手で包装体を把持して、右手で医療用具を取り出すことができる。すなわち、例えば医療用具や包装体を持ち換えたりする煩わしい作業を省略することができる。その結果、医療用具の取り出し作業を容易かつ迅速に行うことができる。
【図面の簡単な説明】
【００１９】
【図１】図１は、本発明の医療用具包装体の第１実施形態を示す平面図である。
【図２】図２は、図１に示す非接合部の拡大図である。
【図３】図３は、図２中のＡ−Ａ線断面図である。
【図４】図４は、医療用具の取り出し作業を説明するための平面図であって、（ａ）が、破断を開始した状態を示す図、（ｂ）が、包装体の中央部よりも基端側の部分を剥がしている状態を示す図、（ｃ）が、医療用具を引き出した状態を示す図である。
【図５】図５は、本発明の医療用具包装体の第２実施形態を示す平面図であって、（ａ）が、破断を開始する以前の状態を示す図、（ｂ）が、タブを引張った状態を示す図、（ｃ）が、（ｂ）に示す状態から引張った状態を示す図である。
【図６】図６は、本発明の医療用具包装体の第３実施形態を示す平面図であって、（ａ）が、破断を開始する以前の状態を示す図、（ｂ）が、タブを引張った状態を示す図、（ｃ）が、カテーテルが、ハブまで露出した状態を示す図である。
【図７】図７は、本発明の医療用具包装体の第４実施形態についての非接合部の拡大平面図である。
【発明を実施するための形態】
【００２０】
以下、本発明の医療用具包装体を添付図面に示す好適な実施形態に基づいて詳細に説明する。
【００２１】
＜第１実施形態＞
図１は、本発明の医療用具包装体の第１実施形態を示す平面図である。図２は、図１に示す非融着部の拡大図である。図３は、図２中のＡ−Ａ線断面図である。図４は、医療用具の取り出し作業を説明するための平面図であって、（ａ）が、破断を開始した状態を示す図、（ｂ）が、包装体の中央部よりも基端側の部分を剥がしている状態を示す図、（ｃ）が、医療用具を引き出した状態を示す図である。
【００２２】
なお、以下では、説明の都合上、図１および図２中の右側を「基端」、左側を「先端」と言う。
【００２３】
図１に示すように、医療用具包装体１は、医療用具としてのカテーテル２と、カテーテル２を収納する包装体３と、包装体３に貼着された板状体５とを備えている。カテーテル２を収納する際、使用者は、包装体３を開封し、カテーテル２を取り出す。医療用具包装体１では、この取り出し作業を容易に行うことができる。
【００２４】
まず、カテーテル２について説明する。
図１および図４に示すように、カテーテル２は、可撓性を有するカテーテル本体２１と、カテーテル本体２１の基端部に設けられたハブ２２と、を備えている。
【００２５】
カテーテル本体２１は、長尺なチューブで構成されている。
カテーテル本体２１の基端部には、硬質樹脂材料で構成されたハブ２２が固定されている。このハブ２２は、カテーテル本体２１よりも外径および内径が大きい筒体で構成され、その内腔がカテーテル本体２１の内腔と連通している。
【００２６】
このようなカテーテル２は、その全長（最大長さ）が、例えば、１００ｃｍ以上、３００ｃｍ以下程度のものである。
【００２７】
カテーテル本体２１の構成材料としては、特に限定されないが、例えば、スチレン系、ポリオレフィン系、ポリウレタン系、ポリエステル系、ポリアミド系、ポリブタジエン系、フッ素系、トランスポリイソプレン系、フッ素ゴム系、塩素化ポリエチレン系等の各種熱可塑性エラストマー等が挙げられ、これらのうちの１種または２種以上を組合せたものであるポリマーアロイ、ポリマーブレンド、積層体等を用いることができる。
【００２８】
次に、包装体３について説明する。
図１に示すように、包装体３は、長尺な袋状をなすものであり、カテーテル２の全体を収納するのに十分な程度の大きさを有している。また、カテーテル２は、長尺かつ平板な台紙に固定されて、包装体３に収納されていてもよい。包装体３は、その平面視で略矩形をなしており、長辺３ａおよび長辺３ｂと、短辺３ｃおよび短辺３ｄとを有している。
【００２９】
長辺３ａは、図１中上側に位置し、長辺３ｂは、図１中下側に位置している。また、短辺３ｃは、図１中左側に位置し、短辺３ｄは、図１中右側に位置している。
【００３０】
この包装体３は、図１中紙面手前側の第１シート材３１と、図１中紙面奥側の第２シート材３２とが接合されてなるものである。
【００３１】
第１シート材３１は、軟質樹脂製の可撓性を有するフィルムで構成されている。一方、第２シート材３２は、例えば、紙材、織布、不織布等、比較的硬質で、かつ、ガス透過性を有するシート材で構成されている。
【００３２】
第１シート材３１の構成材料としては、例えば、ポリエチレン、ポリプロピレン、エチレン−酢酸ビニル共重合体等のポリオレフィン、変性ポリオレフィン、ポリアミド、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリ乳酸エチルなどのポリエステル系、ポリアミド系、ポリブタジエン系、トランスポリイソプレン系、フッ素ゴム系、ポリ塩化ビニル、ポリ塩化ビニリデンなどの塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００３３】
また、第１シート材３１は、内部の視認性を確保するために実質的に透明であるのが好ましい。
【００３４】
これら第１シート材３１および第２シート材３２の縁部を帯状に接合して接合部３０を形成することにより包装体３が構成され、その内側に収納空間Ｓが形成される。これにより、カテーテル２を収納して封止することができる。
【００３５】
第１シート材３１および第２シート材３２の接合方法は特に限定されないが、例えば、接着剤を用いて接着する方法や、熱融着や超音波融着等の融着により接合する方法が挙げられる。
【００３６】
なお、上記接着剤としては、特に限定されないが、例えば、エポキシ系接着剤、アクリル系接着剤、ウレタン系接着剤、シリコーン系接着剤等を用いることができる。
【００３７】
また、融着により接合する場合、第２シート材３２の、第１シート材３１と接合される面には、樹脂層がコーティングされているのが好ましい。この樹脂層としては、前記で挙げた第１シート材３１と同じ樹脂材料を用いることができる。これにより、第１シート材３１および第２シート材３２の融着強度を高めることができる。さらに、このような樹脂層がコーティングされていることにより、カテーテル２の取り出し作業において、カテーテル２と第２シート材３２との摺動抵抗を低減することができ、取り出し作業を円滑に行うことができる。
【００３８】
また、図１および図２に示すように、包装体３の長辺３ａ側の縁部の略中央部には、第１シート材３１および第２シート材３２が接合されていない非接合部３３が形成されている。この非接合部３３は、平面視で矩形をなし、外側の１辺が外側に臨んでおり、他の３辺が接合部３０に臨んでいる。
【００３９】
図２および図３に示すように、包装体３は、第１シート材３１に設けられ、包装体３の長手方向の途中に形成された破断開始部４を有している。本実施形態では、破断開始部４は、非接合部３３における第１シート材３１に設けられた２つの切れ込み部４１で構成されている。この２つの切れ込み部４１は、包装体３の長手方向の異なる位置に互いにずれて、かつ、平行に形成されている。なお、包装体３では、第２シート材３２には、切れ込み部４１が省略された構成となっている。
【００４０】
また、各切れ込み部４１の長辺３ａと反対側の端部は、接合部３０と非接合部３３との境界部３５まで形成されている。
【００４１】
また、図３に示すように、第１シート材３１の、各切れ込み部４１の間の部分３４は、例えば指でつまんで捲れるようになっている。各切れ込み部４１の離間距離、すなわち、部分３４の幅は、３ｍｍ以上、４０ｍｍ以下であるのが好ましく、５ｍｍ以上、３０ｍｍ以下であるのがより好ましい。これにより、使用者が部分３４を摘まみやすくすることができる。
【００４２】
また、図１および図２に示すように、各切れ込み部４１は、包装体３の長手方向に対して同じ方向に傾斜している。各切れ込み部４１は、包装体３の長辺３ａの中央部から基端部に向って傾斜している。
【００４３】
また、第１シート材３１の外側の面、すなわち、図１および図２中紙面手前側の面には、第１シート材３１が破断する際、その破断方向を規制する規制部としての板状体５が貼着されている。この板状体５は、平面視で台形状をなしている。また、板状体５の基端側の縁部５１は、包装体３の長手方向に対して傾斜した直線状をなしている。また、縁部５１は、各切れ込み部４１のうち、先端側、すなわち、図１および図２中左側の切れ込み部４１の切れ込み方向延長上に位置している。
【００４４】
この板状体５は、第１シート材３１よりも硬質なシート材で構成されているのが好ましい。これにより、後述するように、第１シート材３１の破断方向をより確実に規制することができる。
【００４５】
なお、板状体５には、図示はしないが、例えば、カテーテル２の外径、内径、全長等を示す情報や、医療用具包装体１の開封手順などの情報等を示す文字が付されていてもよく、ラベルであってもよい。
【００４６】
このような医療用具包装体１では、以下のようにして、包装体３を開封してカテーテル２を取り出すことができる。以下、この取り出し方法について、図３および図４（ａ）〜（ｃ）を参照しつつ説明する。
【００４７】
まず、図４（ａ）に示すように、第１シート材３１の、各切れ込み部４１の間の部分３４を例えば右手で把持し、左手で例えば板状体５付近を把持して医療用具包装体１全体を支持する。部分３４は、第２シート材３２に接合されていないため（図３参照）、部分３４を把持する際、部分３４と第２シート材３２との間に右手の指を容易に入れることができる。
【００４８】
そして、右手で部分３４を把持したまま、図４（ａ）中矢印方向に引張る。このとき、まず、接合部３０の第１シート材３１のうち、非接合部３３と収納空間Ｓとの間の部分が第２シート材３２から剥離されるとともに引き裂かれて破断する。
【００４９】
さらに図４（ａ）中矢印方向に引張ると、第１シート材３１は、部分３４と同じ幅で引き裂かれていく。この際、第１シート材３１が板状体５の縁部５１の傾斜に沿って、案内されつつ引き裂かれる。これにより、先端側に向かって引き裂かれるのを防止することができ、第１シート材３１を確実に基端側に向かって引き裂くことができる。
【００５０】
そして、第１シート材３１を引き裂いてできた帯状の剥離物３１１を右手で破棄する。このとき、左手は、医療用具包装体１全体を支持したままとする。
【００５１】
このような破断作業により、第１シート材３１は、先端側のシート材３１ａと、基端側のシート材３１ｂとに分断される。
【００５２】
次いで、図４（ｂ）に示すように、基端側のシート材３１ｂの先端部３１２を右手で把持し、基端側に向って引張る。これにより、接合部３０において、シート材３１ｂが第２シート材３２から剥離していく。すなわち、接合部３０が破断していく。そして、シート材３１ｂが基端まで剥離したら、なお、右手でシート材３１ｂを破棄する。
【００５３】
次に、図４（ｃ）に示すように、左手で包装体３を支持したまま、露出したカテーテル２のハブ２２を右手で把持して基端側に向って引張って、カテーテル本体２１の先端まで露出させる。これにより、カテーテル２の取り出し作業が完了する。なお、左手で把持している包装体３は、カテーテル２を取り出した後、破棄する。
【００５４】
ここで、従来のように包装体３の端部を開封する構成では、カテーテル２の先端が露出するまでカテーテル２を引き出す場合、カテーテル２の全長Ｌ１分、カテーテル２を引き出す必要がある。カテーテル２が前述したように比較的長い場合、例えば術者が両手を広げた長さよりわずかに短いか、または、両手を広げた長さより長いと、左手で包装体３を把持したまま右手でカテーテル２の全長Ｌ１分、カテーテル２を引き出すのは困難であり、両手を最大限に広げても、カテーテル２の先端が包装体３の開封口から露出しないことがある。この場合、例えば、左手で包装体３を把持する位置を換えて、すなわち、持ち換えて、再度引張ったり、他の人に手伝ってもらったりする必要がある。
【００５５】
これに対し、本発明では、医療用具包装体１は、包装体３の長手方向の途中に破断を開始する破断開始部４が設けられており、この破断開始部４から基端側に向って第１シート材３１が破断される構成となっている。これにより、シート材３１ｂの除去が完了した時、既にカテーテル２は、その基端部から包装体３の切れ込み部４１付近である長手方向の途中まで露出している。よって、図４（ｂ）および（ｃ）に示すように、カテーテル２の先端が露出するまで引張る長さＬ２を、カテーテル２の全長Ｌ１よりも十分短くすることができる。その結果、露出したカテーテル２のハブ２２を把持して右手で引張るという簡単な操作でカテーテル２を取り出すことができ、従来のような煩わしい持ち換え作業等を省略することができる。以上より、医療用具包装体１によれば、カテーテルの取り出し作業を容易かつ迅速に行うことができる。
【００５６】
また、左手で包装体３の把持を行い、右手で第１シート材３１の破断および除去を行う。すなわち、右手および左手で役割を換えたり持ち換えたりする必要がなく、非常に簡単にカテーテル２を取り出すことができる。
【００５７】
なお、前記では、一例として、左手で包装体３の把持を行い、右手で第１シート材３１の破断および除去、カテーテル２の取り出しを行う場合について説明したが、右手で包装体３の把持を行い、左手で第１シート材３１の破断および除去、カテーテル２の取り出しを行ってもよい。
【００５８】
＜第２実施形態＞
図５は、本発明の医療用具包装体の第２実施形態を示す平面図であって、（ａ）が、破断を開始する以前の状態を示す図、（ｂ）が、タブを引張った状態を示す図、（ｃ）が、（ｂ）に示す状態から引張った状態を示す図である。
【００５９】
図５（ａ）に示すように、医療用具包装体１Ａは、第１シート材３１の外側の面に貼着された板状体６を有している。板状体６は、本体部６１と、タブ６２とを有している。
【００６０】
本体部６１は、第１シート材３１の中央部から基端部に掛けて貼着された長尺状をなしている。また、本体部６１は、第１シート材３１の接合部３０の内側に貼着されており、その縁部が接合部３０に沿って設けられている。
【００６１】
また、図５（ａ）に示すように、本体部６１の先端側の縁部６１１は、包装体３の長手方向に対して傾斜している。また、縁部６１１は、長辺３ａ側の端部が長辺３ｂ側の端部よりも先端側に位置するよう傾斜している。
【００６２】
タブ６２は、使用者が破断を開始する際、把持される破断開始部４として機能する部分である。タブ６２は、本体部６１の先端部から長辺３ａ側に突出して設けられ、包装体３の平面視で、長辺３ａよりも外側に位置している部分を有する。
【００６３】
また、タブ６２は、本実施形態では、非接合部３３と重なって設けられている。また、タブ６２は、第１シート材３１と重なっている部分が第１シート材３１と接合されている。
【００６４】
なお、本実施形態では、各切れ込み部４１は、タブ６２の幅と同じ間隔で設けられており、かつ、包装体３の幅方向に延在している。
【００６５】
このような医療用具包装体１Ａでは、以下のようにして、包装体３を開封してカテーテル２を取り出すことができる。以下、この取り出し方法について説明する。
【００６６】
まず、左手で包装体３の板状体６よりも先端側の部分を把持して医療用具包装体１Ａ全体を支持し、右手でタブ６２を把持して、図５（ｂ）に示すように、包装体３から板状体６を剥がす方向、すなわち、基端側に向って引張る。
【００６７】
本実施形態では、板状体６と第１シート材３１との接合強度は、接合部３０での第１シート材３１と第２シート材３２との接合強度よりも高い。これにより、板状体６を引張ることにより、接合部３０の第１シート材３１のうち、非接合部３３と収納空間Ｓとの間の部分が第２シート材３２から剥離されるとともに引き裂かれて破断する。すなわち、板状体６ごと第１シート材３１が破断する。
【００６８】
そして、第１シート材３１のうち、板状体６が貼着されている部分３１３が、その他の部分に対して、板状体６にくっついたまま引き裂かれて破断する。このとき、第１シート材３１は、板状体６の先端側の縁部６１１の傾斜に沿ってかつ、基端側に向って斜めに破断していく。
【００６９】
図５（ｃ）に示すように、さらに基端側にタブ６２を引張ると、第１シート材３１は、接合部３０との境界部に沿って引き裂かれて破断し、カテーテル２が徐々に露出する。この引張りをカテーテル２のハブ２２が露出するまで行うことにより、第１実施形態と同様に、カテーテル２を容易に取り出すことができる。
【００７０】
特に本実施形態では、タブ６２を把持して基端側に引張るというワンアクションで包装体３を開封することができる。これにより、医療用具包装体１Ａによれば、さらに容易かつ迅速にカテーテル２を取り出すことができる。
【００７１】
また、タブ６２は使用前に引っ掛かって包装体３が破損しないように、第２シート材３２側に折り曲げられていてもよい。
【００７２】
＜第３実施形態＞
図６は、本発明の医療用具包装体の第３実施形態を示す平面図であって、（ａ）が、破断を開始する以前の状態を示す図、（ｂ）が、タブを引張った状態を示す図、（ｃ）が、カテーテルが、ハブまで露出した状態を示す図である。
【００７３】
図６（ａ）に示すように、医療用具包装体１Ｂは、第１シート材３１の外側の面に貼着された板状体７を有している。板状体７は、本体部７１と、タブ７２とを有している。
【００７４】
本体部７１は、帯状をなし、包装体３の長手方向と交わる方向に傾斜して貼着されている。また、本体部７１は、第１シート材３１の長辺３ａ側の接合部３０と、長辺３ｂ側の接合部３０との間、すなわち、長辺３ａ、３ｂよりも内側に設けられている。
【００７５】
また、本体部７１の長辺３ａ側の端部７１１は、長辺３ｂ側の端部７１２よりも先端側に位置している。
【００７６】
タブ７２は、端部７１１に設けられている。このタブ７２は、使用者が破断を開始する際、把持される破断開始部４として機能する部分である。
【００７７】
また、タブ７２は、本実施形態では、非接合部３３と重なって設けられている。また、タブ７２は、第１シート材３１と重なっている部分が第１シート材３１と接合されている。
【００７８】
このような医療用具包装体１Ｂでは、以下のようにして、包装体３を開封してカテーテル２を取り出すことができる。以下、この取り出し方法について説明する。
【００７９】
まず、左手で包装体３の板状体７よりも先端側の部分を把持して医療用具包装体１Ｂ全体を支持し、右手でタブ７２を把持して、図６（ｂ）に示すように、端部７１２側に引張る。板状体７を引張ることにより、板状体７ごと第１シート材３１が破断する。
【００８０】
そして、第１シート材３１のうち、板状体７が貼着されている部分３１４が、その他の部分に対して、板状体７にくっついたまま引き裂かれて破断する。このとき、第１シート材３１は、板状体７の傾斜に沿って、かつ、基端側に向って斜めに破断していく。これにより、第１シート材３１は、板状体７が貼着されていた部分よりも先端側のシート材３１ａと、基端側のシート材３１ｂとに分断される（図６（ｂ）参照）。
【００８１】
そして、第１実施形態と同様にして、シート材３１ｂを除去する。これにより、図６（ｃ）に示すように、カテーテル２は、ハブ２２まで露出し、第１実施形態と同様にして容易にカテーテル２を取り出すことができる。
【００８２】
＜第４実施形態＞
図７は、本発明の医療用具包装体の第４実施形態についての非接合部の拡大平面図である。
【００８３】
図７に示すように、医療用具包装体１Ｃでは、非接合部３３は、帯状をなし、先端から基端まで延在している。また、非接合部３３は、接合部３０の外側に設けられている。すなわち、非接合部３３および接合部３０は、長辺３ａ側からこの順で並んで配置されている。
【００８４】
このような本実施形態によれば、第１実施形態に比べ、接合部３０の形状の簡素化を図ることができる。これにより、例えば、接着により第１シート材３１および第２シート材３２を接合する場合、接着剤を塗布する部分が帯状となり、容易に製造することができる。また、例えば、熱融着により第１シート材３１および第２シート材３２を接合する場合、熱融着する部分が帯状となり、金型の形状を簡素にすることができる。
【００８５】
以上、本発明の医療用具包装体を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００８６】
なお、前記各実施形態では、破断開始部は、一方のシート材に設けられた切れ込み部や、一方のシート材に貼着された板状体のタブで構成されていたが、本発明はこれに限定されず、例えば、一方のシート材に形成されたミシン目や、厚さが薄くなった薄肉部等で構成されていてもよい。
【００８７】
また、前記各実施形態では、包装体に収納される医療用具として、カテーテルを例に挙げて説明したが、本発明はこれに限定されず、例えば、ガイドワイヤや、チューブ等であってもよい。
【符号の説明】
【００８８】
１、１Ａ、１Ｂ、１Ｃ  医療用具包装体
２                カテーテル
２１              カテーテル本体
２２              ハブ
３                包装体
３ａ、３ｂ        長辺
３ｃ、３ｄ        短辺
３０              接合部
３１              第１シート材
３１ａ、３１ｂ    シート材
３１１            剥離物
３１２            先端部
３１３、３１４    部分
３２              第２シート材
３３              非接合部
３４              部分
３５              境界部
４                破断開始部
４１              切れ込み部
５、６、７        板状体
５１              縁部
６１、７１        本体部
６２、７２        タブ
６１１            縁部
７１１、７１２    端部
Ｌ１              全長
Ｌ２              長さ
Ｓ                収納空間
【図１】
0006670648.tif 000002
【図２】
0006670648.tif 000003
【図３】
0006670648.tif 000004
【図４】
0006670648.tif 000005
【図５】
0006670648.tif 000006
【図６】
0006670648.tif 000007
【図７】
0006670648.tif 000008